(57)【特許請求の範囲】
【請求項１】
建設関連情報を表示するために、作業者の頭部に装着される眼鏡型のウェアラブル端末を、
無線通信網を介して、測量装置から、前記建設関連情報として、予め設定された目標点の方向及び距離を示す測量情報を受信する建設関連情報受信手段、
前記建設関連情報受信手段が受信した建設関連情報を、前記ウェアラブル端末のディスプレイに表示する建設関連情報表示手段、
前記ディスプレイに表示された建設関連情報を参照した前記作業者の音声を音声認識する音声認識手段、
前記音声認識手段の音声認識結果に応じた処理を実行する処理実行手段、
前記測量情報に基づいて、前記作業者に保持された測量目標物から予め設定された範囲にある全目標点の識別情報を前記作業者に提示する目標点確認位置手段、
として機能させ、
前記目標点確認位置手段は、前記全目標点のうち、確認対象の前記目標点の識別情報を示す前記音声認識結果に応じて、前記確認対象の目標点と前記測量目標物との誤差を前記ディスプレイに表示することを特徴とする建設関連情報表示プログラム。
【請求項２】
前記ウェアラブル端末を、
印刷対象の前記目標点の識別情報を示す前記音声認識結果に応じて、前記印刷対象の目標点の印刷データを生成する印刷データ生成手段、としてさらに機能させることを特徴とする請求項１に記載の建設関連情報表示プログラム。
【請求項３】
作業者の頭部に装着される眼鏡型のウェアラブル端末に、請求項１又は請求項２に記載の建設関連情報表示プログラムがインストールされたことを特徴とする建設関連情報表示装置。
【発明の詳細な説明】
【技術分野】
【０００１】
本願発明は、作業者の頭部に装着される眼鏡型のウェアラブル端末に建設関連情報を表示する技術に関する。
【背景技術】
【０００２】
従来より、一人の作業者で墨出し測量を可能とした測量システムが提案されている（例えば、特許文献１参照）。この特許文献１に記載の測量システムは、ターゲットに取り付けられた携帯電子機器に作業者が音声命令を入力することで、測量器本体の制御を可能としたものである。
【先行技術文献】
【特許文献】
【０００３】
【特許文献１】特許第４７４２３９２号公報（特開２００２−２７７２４４号公報）
【発明の概要】
【発明が解決しようとする課題】
【０００４】
しかし、従来の測量システムでは、作業者が、携帯電子機器に表示された測距データ等の建設関連情報を視認する際、携帯電子機器とターゲットの両方を保持しなければならない。その結果、従来の測量システムでは、作業者が片手でターゲットを保持する必要があるので、両手でターゲットを保持した場合に比べ、ターゲットの姿勢が不安定になってしまう。さらに、従来の測量システムでは、建設関連情報を視認する際に作業者の視線が大きく乱れ、ターゲットの姿勢が不安定になり、墨出し測量の作業効率が低下してしまう。
【０００５】
そこで、本願発明は、作業者の視線の乱れを抑制し、作業者が両手を自由にした状態で建設関連情報を視認できる建設関連情報表示プログラム及びその装置を提供することを課題とする。
【課題を解決するための手段】
【０００６】
前記した課題に鑑みて、本願発明に係る建設関連情報表示プログラムは、建設関連情報を表示するために、作業者の頭部に装着される眼鏡型のウェアラブル端末を、無線通信網を介して、測量装置から、前記建設関連情報として、予め設定された目標点の方向及び距離を示す測量情報を受信する建設関連情報受信手段、前記建設関連情報受信手段が受信した建設関連情報を、前記ウェアラブル端末のディスプレイに表示する建設関連情報表示手段、前記ディスプレイに表示された建設関連情報を参照した前記作業者の音声を音声認識する音声認識手段、前記音声認識手段の音声認識結果に応じた処理を実行する処理実行手段、前記測量情報に基づいて、前記作業者に保持された測量目標物から予め設定された範囲にある全目標点の識別情報を前記作業者に提示する目標点確認位置手段、として機能させ、 前記目標点確認位置手段は、前記全目標点のうち、確認対象の前記目標点の識別情報を示す前記音声認識結果に応じて、前記確認対象の目標点と前記測量目標物との誤差を前記ディスプレイに表示する。
【０００７】
かかる機能によれば、作業者の頭部に装着される眼鏡型のウェアラブル端末に建設関連情報が表示されるので、作業者の視線の乱れを抑制し、作業者が両手を自由にした状態で各種作業を行うことができる。
【００１０】
さらに、ウェアラブル端末で確認対象の目標点の誤差を表示できるので、測量の作業効率を向上させることができる。
【００１１】
また、本願発明に係る建設関連情報表示プログラムは、前記ウェアラブル端末を、前記音声認識結果が印刷対象の前記目標点の識別情報を示す場合、前記印刷対象の目標点の印刷データを生成する印刷データ生成手段、としてさらに機能させることが好ましい。
かかる機能によれば、ウェアラブル端末から印刷データを印刷できるので、印刷のために作業者が作業現場を離れる必要がなく、測量の作業効率を向上させることができる。
【００１２】
また、前記した課題に鑑みて、本願発明に係る建設関連情報表示装置は、作業者の頭部に装着される眼鏡型のウェアラブル端末に、本願発明に係る建設関連情報表示プログラムがインストールされたことを特徴とする。
【００１３】
かかる構成によれば、作業者の頭部に装着される眼鏡型のウェアラブル端末に建設関連情報が表示されるので、作業者の視線の乱れを抑制し、作業者が両手を自由にした状態で各種作業を行うことができる。
【発明の効果】
【００１４】
本願発明によれば、以下のような優れた効果を奏する。
本願発明に係る建設関連情報表示プログラム及びその装置は、作業者の頭部に装着されるウェアラブル端末に建設関連情報を表示するので、作業者の視線の乱れを抑制し、作業者が両手を自由にでき、作業者が各種作業を効率よく行うことができる。
【図面の簡単な説明】
【００１５】
【図１】本願発明の実施形態に係る測量システムの概略図である。
【図２】図１の測量情報表示装置の外観図である。
【図３】図１の測量情報表示装置のブロック図である。
【図４】図１の測量情報表示装置が表示する遠距離表示画面の説明図である。
【図５】図１の測量情報表示装置が表示する中距離表示画面の説明図である。
【図６】図１の測量情報表示装置が表示する近距離表示画面の説明図である。
【図７】図６の近距離表示画面において、目標点及びターゲットが一致したときの説明図である。
【図８】図１の測量情報表示装置が表示する印刷データ選択画面の説明図である。
【図９】図１の測量情報表示装置が表示する印刷データ確認画面の説明図である。
【図１０】図３の測量情報表示装置の動作を示すフローチャートである。
【図１１】図１の測量情報表示装置が表示する目標点表示画面の説明図である。
【図１２】図１の測量情報表示装置が表示する誤差表示画面の説明図である。
【発明を実施するための形態】
【００１６】
（実施形態）
［測量システムの概略］
以下、本願発明の実施形態について、適宜図面を参照しながら詳細に説明する。
図１を参照し、本願発明の実施形態に係る測量システム１の概略について説明する。
測量システム１は、作業者αの頭部に装着された眼鏡型のウェアラブル端末に建設関連情報を表示することで、一人の作業者αによる測量を可能としたものである。図１のように、測量システム１は、測量装置２と、ターゲット（測量目標物）３と、無線中継装置４と、測量情報表示装置（建設関連情報表示装置）５と、プリンタ６（図３）とを備える。
【００１７】
ここで、建設関連情報とは、建設や土木に用いられる各種情報のことである。例えば、建設関連情報としては、測量（例えば、墨出し測量）に関連した測量情報を含む位置、圧力、電波、速度、流量、風量、清浄度、強度、粘度、光量、明度、彩度、物流情報、建築物の設計図等に関連した設計情報を上げることができる。本実施形態では、建設関連情報が測量情報であることとして説明する。
【００１８】
測量装置２は、光波測量装置（トータルステーション）である。この測量装置２は、作業現場の基準点に設置される。この測量装置２は、三脚に載置されると共に、水平方向に回転可能である。また、測量装置２は、目標点の位置座標が予め記憶されている。
【００１９】
この他、測量装置２は、作業者αに保持されたターゲット３を追尾する機能や、このターゲット３の位置を測量する機能を有する。また、測量装置２は、予め記憶した目標点の位置座標に基づいて、目標点の方向及び距離を示した測量情報を生成する。そして、測量装置２は、無線通信網を介して、生成した測量情報を測量情報表示装置５に送信する。
なお、測量装置２の詳細は、例えば、特許第４７４２３９２号公報に記載されているため、これ以上の説明を省略する。
【００２０】
ターゲット３は、反射鏡やプリズム等の測量光反射手段がポールに固定されたものである。このターゲット３は、測量装置２からの測量光を測量装置２に反射することで、ターゲット３の位置を測量装置２に測量させる。
【００２１】
無線中継装置４は、測量装置２と、測量情報表示装置５と、プリンタ６との間で無線中継を行うものである。本実施形態では、無線中継装置４は、作業者αの左腕に装着されたスマートフォンである。この無線中継装置４は、ＩＥＥＥ８０２．１１に規定された無線通信網（Ｗｉ−Ｆｉ、登録商標）で測量装置２に接続されている。また、無線中継装置４は、ＩＥＥＥ８０２．１５．１に規定された無線通信網(Bluetooth、登録商標)で測量情報表示装置５に接続されている。
なお、無線通信網がＷｉ−ＦｉやBluetoothに制限されないことは言うまでもない。
【００２２】
測量情報表示装置５は、図２のように、測量装置２から受信した測量情報を表示するウェアラブル端末である。この測量情報表示装置５は、眼鏡型のウェアラブル端末に測量情報表示プログラムをインストールしたものである。本実施形態では、測量情報表示装置５は、各種演算を行う本体部５Ａと、測量情報を表示するディスプレイ５Ｂと、ディスプレイ５Ｂが取り付けられた眼鏡部５Ｃと、作業者αが音声を入力するマイク５Ｄ（図３）と、作業者αに音声を出力するイヤホン５Ｅ（図３）とを備える。この本体部５Ａには、図示を省略した操作ボタンが備えられている。
【００２３】
また、測量情報表示装置５は、ディスプレイ５Ｂに測量情報を表示する。これにより、作業者αが眼鏡部５Ｃを頭部に装着した状態で、ディスプレイ５Ｂに表示された測量情報を視認できる。ここで、眼鏡部５Ｃは必須でないが、作業者αの両眼を保護するために眼鏡部５Ｃを備えることが好ましい。
なお、測量情報表示装置５の詳細は後記する。
【００２４】
プリンタ６は、測量情報表示装置５から受信した印刷データを印刷するものである。本実施形態では、プリンタ６は、作業場所から遠隔地に設置され、Ｗｉ−Ｆｉ等の無線通信網を介して、無線中継装置４に接続されている。
【００２５】
＜測量システムでの測量＞
図１を参照し、測量システム１での測量について説明する。
作業者αは、ターゲット３の測量光反射手段が測量装置２を向くように、ターゲット３を保持する。一方、測量装置２は、ターゲット３に向けて測量光を照射すると共に、測量光反射手段からの反射光によりターゲット３の位置を測量し、ターゲット３を追尾する。そして、測量装置２は、測量結果からターゲット３の位置座標を算出し、算出したターゲット３の位置座標から設定済み目標点までの方向及び距離を求め、測量情報を生成する。その後、測量装置２は、無線通信網を介して、測量情報を測量情報表示装置５に送信する。
【００２６】
測量情報表示装置５は、測量装置２から受信した測量情報（つまり、ターゲット３に対する目標点の方向及び距離）を表示する。これにより、作業者αは、ターゲット３を両手で保持した状態のまま、ターゲット３をどの方向にどれだけ移動させればよいかを即座に把握できる。
【００２７】
作業者αは、測量情報表示装置５に表示された測量情報に従って、ターゲット３を目標点まで移動させる。そして、作業者αは、ターゲット３を目標点に一致させたら目標点の位置を決定する作業（例えば、目標点に目印を付する作業）を行い、その作業後、目標点の位置決定を示す音声（例えば、「ティーマーク  ケッテイ」）をマイク５Ｄに入力する。この音声に応じて、測量情報表示装置５は、次目標点の測量開始を測量装置２に通知する。このように、測量システム１は、作業者αが全目標点の位置を決定するまで、目標点毎に処理を繰り返す。
【００２８】
＜印刷データの印刷＞
さらに、測量システム１は、測量情報表示装置５を用いて、印刷データを印刷できる。まず、作業者αは、印刷データの生成を示す音声（例えば、「ティーマーク  インサツ」）をマイク５Ｄに入力する。すると、測量情報表示装置５は、測量情報を参照し、全目標点の一覧をディスプレイ５Ｂに表示する。続いて、作業者αは、ディスプレイ５Ｂに表示された目標点のうち、印刷対象として選択した目標点の識別情報をマイク５Ｄに入力する。すると、測量情報表示装置５は、印刷対象の目標点の印刷データを生成し、無線通信網を介して、生成した印刷データをプリンタ６に送信する。このようにして、印刷データがプリンタ６で印刷される。
【００２９】
［測量情報表示装置の構成］
図３を参照し、測量情報表示装置５の構成について説明する。
図３のように、測量情報表示装置５（本体部５Ａ）は、無線通信手段（建設関連情報受信手段）５０と、音声認識手段５１と、目標点誘導手段５２と、目標点印刷手段５３とを備える。
【００３０】
無線通信手段５０は、無線通信網を介して、外部（例えば、測量装置２）から測量情報を受信するものである。そして、無線通信手段５０は、受信した測量情報を目標点誘導手段５２及び目標点印刷手段５３に出力する。
また、無線通信手段５０は、目標点誘導手段５２から次目標点の測量開始要求が入力された場合、無線通信網を介して、この次目標点の測量開始要求を測量装置２に送信する。
【００３１】
また、無線通信手段５０は、目標点印刷手段５３から印刷データが入力された場合、無線通信網を介して、この印刷データをプリンタ６に送信する。
また、無線通信手段５０は、無線通信網を介して、測量装置２から測量終了通知を受信した場合、この測量終了通知を目標点誘導手段５２に出力する。
【００３２】
音声認識手段５１は、マイク５Ｄから入力された作業者αの音声を認識するものである。
ここで、音声認識手段５１は、目標点の位置決定を示す音声を認識した場合、目標点決定通知を目標点誘導手段５２に出力する。
【００３３】
さらに、音声認識手段５１は、印刷データの生成を示す音声を認識した場合、目標点選択通知を目標点印刷手段５３に出力する。その後、音声認識手段５１は、マイク５Ｄから印刷対象の目標点の識別情報が入力されるので、この識別情報を音声認識し、その音声認識結果を目標点印刷手段５３に出力する。
【００３４】
ここで、目標点の識別情報とは、各目標点を一意に割り当てられた識別子のことである。例えば、本実施形態では、各目標点の識別情報は‘点１’、‘点２’、‘点３’、…のように割り当てられている。
【００３５】
目標点誘導手段５２は、無線通信手段５０から入力された測量情報に基づいて、作業者αに保持されたターゲット３を目標点まで誘導するものである。目標点誘導手段５２は、目標点表示手段（建設関連情報表示手段）５２１と、目標点決定手段（処理実行手段）５２３と、目標点確認手段５２５とを備える。
【００３６】
目標点表示手段５２１は、無線通信手段５０から入力された測量情報をディスプレイ５Ｂに表示するものである。
目標点決定手段５２３は、音声認識手段５１から入力された目標点決定通知に応じて、次目標点の測量開始を測量装置２に通知するものである。具体的には、目標点決定手段５２３は、次目標点の測量開始要求を無線通信手段５０に出力する。
【００３７】
＜目標点の表示、位置決定＞
図４〜図７を参照し、目標点表示手段５２１による目標点の表示、及び、目標点決定手段５２３による目標点の位置決定について説明する（適宜図３参照）。
【００３８】
まず、目標点表示手段５２１は、測量情報から目標点とターゲット３との距離が分かるので、この距離に応じて、表示画面の種類を判定する。本実施形態では、目標点表示手段５２１は、遠距離、中距離及び近距離で表示画面の種類を変更することとした。以後、それぞれの表示画面を、遠距離表示画面、中距離表示画面、近距離表示画面と呼ぶ。
【００３９】
具体的には、目標点表示手段５２１は、目標点とターゲット３との距離が予め設定された遠距離閾値（例えば、１ｍ）以上の場合、遠距離表示画面を表示すると判定する。
また、目標点表示手段５２１は、目標点とターゲット３との距離が遠距離閾値未満、かつ、予め設定された近距離閾値（例えば、１００ｍｍ）以上の場合、中距離表示画面を表示すると判定する。
また、目標点表示手段５２１は、目標点とターゲット３との距離が近距離閾値未満の場合、近距離表示画面を表示すると判定する。
そして、目標点表示手段５２１は、判定された種類の表示画面（遠距離表示画面、中距離表示画面又は近距離表示画面）をディスプレイ５Ｂに表示する。
【００４０】
通常、ターゲット３を保持した作業者αが徐々に目標点に近づくため、目標点表示手段５２１は、遠距離表示画面、中距離表示画面、近距離表示画面の順番で表示を行うことになる。そこで、この順番で各表示画面を詳細に説明する。
【００４１】
図４のように、遠距離表示画面は、目標点の方向をブロック矢印９０で表示したものである。この例では、遠距離表示画面は、ターゲット３の右方向約１．９ｍの位置に目標点があることを表している。
【００４２】
ここで、遠距離表示画面の上方向（０時方向）が、測量装置２とターゲット３とを結んだ基準線の方向を表す。
‘Ｘ’は、Ｘ軸方向において、目標点とターゲット３との距離を表す。このＸ軸は、基準線に平行な方向（つまり、前後方向）の軸である。
‘Ｘ’の左隣に表示された矢印は、Ｘ軸方向において、ターゲット３に対する目標点の方向を表す。つまり、この矢印が下向きの場合、ターゲット３に対して目標点が後方に位置し、この矢印が上向きの場合、ターゲット３に対して目標点が前方に位置することを表す。
【００４３】
‘Ｙ’は、Ｙ軸方向において、目標点とターゲット３との距離を表す。このＹ軸は、基準線に直交する方向（つまり、左右方向）の軸である。
‘Ｙ’の左隣に表示された矢印は、Ｙ軸方向において、ターゲット３に対する目標点の方向を表す。つまり、この矢印が右向きの場合、ターゲット３に対して目標点が右に位置し、この矢印が左向きの場合、ターゲット３に対して目標点が左に位置することを表す。
【００４４】
‘Ｚ’は、高さ方向（Ｚ軸方向）において、目標点とターゲット３との距離を表す。
‘Ｚ’の左隣に表示された三角形は、Ｚ軸方向において、ターゲット３に対する目標点の方向を表す。つまり、この三角形が下向きの場合、ターゲット３に対して目標点が低い場所に位置することを表す。
なお、三角形が上向きの場合、ターゲット３に対して目標点が高い場所に位置することを表すが、通常、目標点が地面上に設定されるので、このように表示されることは少ない。
【００４５】
図５のように、中距離表示画面は、目標点及びターゲット３の位置を円で表示したものである。この例では、中距離表示画面は、ターゲット３の右方向５４９ｍｍ、後方２４３ｍｍの位置に目標点があることを表している。
【００４６】
ここで、円９１（黒塗りで図示）が、ターゲット３の位置を表している。
中距離表示画面の円９２（破線で図示）が、目標点の位置を表している。この中距離表示画面では、円９２が常に画面中央に表示されることとする。
なお、‘Ｘ’、‘Ｙ’及び‘Ｚ’は、遠距離表示画面と同様のため、説明を省略する。
【００４７】
図６のように、近距離表示画面は、ターゲット円を表示したものである。この例では、近距離表示画面は、ターゲット３の右方向２１ｍｍ、後方１０ｍｍの位置に目標点があることを表している。
【００４８】
ここで、近距離表示画面のターゲット円９３（破線で図示）が、目標点の位置を表している。この近距離表示画面では、ターゲット円９３が常に画面中央に表示されることとする。また、ターゲット円９３の半径は、任意の値で目標点表示手段５２１に設定できる。本実施形態では、ターゲット円９３の半径は、測量を行っている実空間上で３ｍｍに相当する値で設定した。
【００４９】
さらに、近距離表示画面では、目標点とターゲット３とが至近距離（例えば、目標点とターゲット３との距離が３ｍｍ以下）になった場合、目標点とターゲット３とが一致したとみなし、赤色で表示されていた円９１を緑色に変化させてもよい。
【００５０】
目標点及びターゲット３が一致した場合、図７のような近距離表示画面が表示される。つまり、図７の近距離表示画面では、ターゲット３を示す円９１がターゲット円９３に収まり、‘Ｘ’、‘Ｙ’及び‘Ｚ’の値が全て０となり、目標点及びターゲット３が一致したことを表している。また、Ｘ’、‘Ｙ’及び‘Ｚ’の左隣に表示されたマルは、Ｘ軸方向、Ｙ軸方向及びＺ軸方向のそれぞれで、目標点及びターゲット３が一致したことを表す。
【００５１】
このように目標点及びターゲット３が一致したら、作業者αが目標点に目印を付す作業を行い、その作業後、作業者αが目標点の位置決定を示す音声をマイク５Ｄに入力する。すると、目標点決定手段５２３は、音声認識手段５１から位置決定通知が入力されるので、次目標点の測量開始を測量装置２に通知する。さらに、目標点決定手段５２３は、位置を決定した目標点の識別情報と、位置を決定した測量時刻とを対応付けて、図示を省略した測量時刻記憶手段に記憶する。
【００５２】
なお、全目標点の位置を決定し終えた場合、測量終了通知が、測量装置２から測量情報表示装置５に送信される。この場合、目標点表示手段５２１は、無線通信手段５０から測量終了通知から入力されるので、その旨をディスプレイ５Ｂに表示する。
【００５３】
図３に戻り、測量情報表示装置５の構成について、説明を続ける。
目標点確認手段５２５は、測量済みの目標点の位置を確認するものである。この目標点確認手段５２５の詳細は、後記する変形例にて説明する。
【００５４】
＜印刷データの印刷＞
目標点印刷手段５３は、印刷データを印刷するものであり、印刷データ選択手段５３１と、印刷データ生成手段５３３とを備える。
印刷データ選択手段５３１は、音声認識手段５１から目標点選択通知が入力された場合、測量情報を参照し、印刷対象となる目標点を選択する印刷データ選択画面をディスプレイ５Ｂに表示するものである。
【００５５】
図８のように、印刷データ選択画面は、目標点の識別情報、座標及び測量時刻が表示されている。この目標点の識別情報及び座標は、測量情報から取得できる。また、目標点の測量時刻は、目標点の位置を決定した時刻であり、測量時刻記憶手段から取得できる。
【００５６】
ここで、作業者αは、図８の印刷データ選択画面を参照して、印刷対象の目標点の識別情報をマイク５Ｄに発話する。例えば、作業者αは、図８の印刷データ選択画面において、点１、点３及び点４という目標点の識別情報を表す音声「テンイチ  テンサン  テンヨン」をマイク５Ｄに入力する。
【００５７】
また、図８の印刷データ選択画面では、本体部５Ａの操作ボタンを操作して、「戻る」ボタンや「次へ」ボタンをクリックできる。
「戻る」ボタンがクリックされた場合、印刷データ選択手段５３１は、印刷データの選択を中止して印刷データ選択画面を閉じる。
「次へ」ボタンがクリックされた場合、印刷データ選択手段５３１は、印刷データの選択を終了して印刷データ選択画面を閉じる。
なお、作業者αが「モドル」や「ツギヘ」のような各ボタンに対応した音声を発話した場合、印刷データ選択手段５３１は、「戻る」ボタンや「次へ」ボタンがクリックされた場合と同様の処理を行えばよい。
【００５８】
印刷データ生成手段５３３は、音声認識手段５１から印刷対象の目標点の識別情報が入力された場合、測量情報を参照し、印刷データを生成するものである。
本実施形態では、印刷データ生成手段５３３は、印刷対象の目標点の識別情報、座標及び測量時刻が含まれている印刷データを生成する。例えば、印刷データ生成手段５３３は、点１、点３及び点４という目標点の識別情報が入力された場合、点１、点３及び点４の識別情報及び座標を測量情報から取得し、点１、点３及び点４の測量時刻を測量時刻記憶手段から取得し、印刷データを生成する。
そして、印刷データ生成手段５３３は、図９のように、印刷データが一覧表示された印刷データ確認画面をディスプレイ５Ｂに表示する。
【００５９】
図９の印刷データ確認画面では、本体部５Ａの操作ボタンを操作して、「戻る」ボタンや「決定」ボタンをクリックできる。
「戻る」ボタンがクリックされた場合、印刷データ生成手段５３３は、印刷データを出力せずに印刷データ選択画面に戻る。
「決定」ボタンがクリックされた場合、印刷データ生成手段５３３は、無線通信手段５０に印刷データを出力した後、印刷データ確認画面を閉じる。
なお、作業者αが「モドル」や「ケッテイ」のような各ボタンに対応した音声を発話した場合、印刷データ生成手段５３３は、「戻る」ボタンや「決定」ボタンがクリックされた場合と同様の処理を行えばよい。
【００６０】
［測量情報表示装置の動作］
図１０を参照し、測量情報表示装置５の動作について説明する（適宜図３参照）。
図１０のように、測量情報表示装置５は、無線通信手段５０によって、測量情報を受信する（ステップＳ１）。
【００６１】
測量情報表示装置５は、目標点表示手段５２１によって、測量情報に含まれる目標点とターゲット３との距離から、表示画面の種類を判定する（ステップＳ２）。
測量情報表示装置５は、ステップＳ２で判定された種類の表示画面（遠距離表示画面、中距離表示画面又は近距離表示画面）をディスプレイ５Ｂに表示する。この表示画面には、目標点の方向、距離が表示されている（ステップＳ３）。
【００６２】
測量情報表示装置５は、目標点の位置決定を示す音声が入力されたか否かにより、作業者αが目標点の位置を決定したか否かを判定する（ステップＳ４）。
作業者αが目標点の位置を決定していない場合（ステップＳ４でＮｏ）、測量情報表示装置５は、ステップＳ２の処理に戻る。
作業者αが目標点の位置を決定した場合（ステップＳ４でＹｅｓ）測量情報表示装置５は、ステップＳ５の処理に進む。
【００６３】
測量情報表示装置５は、測量装置２から測量終了が通知されたか否かにより、全目標点の測量が終了したか否かを判定する（ステップＳ５）。
全目標点の測量が終了していない場合（ステップＳ５でＮｏ）、測量情報表示装置５は、次目標点の測量開始を測量装置２に通知し、ステップＳ１の処理に戻る。
全目標点の測量が終了した場合（ステップＳ５でＹｅｓ）、測量情報表示装置５は、全量点の測量が終了したことをディスプレイ５Ｂに表示し、処理を終了する。
【００６４】
［作用・効果］
以上のように、測量情報表示装置５は、ディスプレイ５Ｂに測量情報を表示するので、作業者αの視線の乱れを抑制し、作業者αが両手を自由にした状態で測量を行うことができる。これにより、測量情報表示装置５は、測量を行う際、作業者αが両手でターゲット３を保持できるので、ターゲット３の姿勢が安定し、測量の作業効率を向上させることができる。
【００６５】
さらに、測量情報表示装置５は、ウェアラブル端末から印刷を行えるので、印刷のために作業者αが作業現場を離れる必要がなく、測量の作業効率を向上させることができる。
【００６６】
（変形例：目標点の誤差確認）
以上、本願発明の各実施形態を詳述してきたが、本願発明は前記した実施形態に限られるものではなく、本願発明の要旨を逸脱しない範囲の設計変更等も含まれる。
以下、図１１，図１２を参照し、測量システム１による目標点の誤差確認を説明する（適宜図３参照）。
【００６７】
測量システム１は、測量情報表示装置５を用いて、測量済みの目標点の誤差を確認できる。まず、作業者αは、目標点の誤差確認を示す音声（例えば、「ティーマーク  ゴサカクニン」）をマイク５Ｄに入力する。すると、測量情報表示装置５は、測量情報を参照し、ターゲット３から予め設定された確認範囲にある全目標点の識別情報をイヤホン５Ｅに音声出力する。続いて、作業者αは、提示された目標点のうち、確認対象の目標点の識別情報をマイク５Ｄに入力（発話）する。すると、測量情報表示装置５は、確認対象の目標点とターゲット３との誤差をディスプレイ５Ｂに表示する。
【００６８】
音声認識手段５１は、目標点の誤差確認を示す音声を認識した場合、目標点確認通知を目標点誘導手段５２に出力する。その後、音声認識手段５１は、マイク５Ｄから確認対象の目標点の識別情報が入力されるので、この識別情報を音声認識し、その音声認識結果を目標点誘導手段５２（目標点確認手段５２５）に出力する。
【００６９】
目標点確認手段５２５は、音声認識手段５１から目標点確認通知が入力された場合、測量情報に基づいて、ターゲット３から確認範囲にある全目標点を求める。そして、目標点確認手段５２５は、図１１のように、目標点の位置を表した目標点表示画面をディスプレイ５Ｂに表示する。
【００７０】
図１１の目標点表示画面は、図５の中距離表示画面と同様のレイアウトであるが、円９４，円９５の内容が異なっている。つまり、円９４（黒塗りで図示）が目標点の位置を表し、円９５（破線で図示）がターゲット３の位置を表している。この目標点表示画面では、円９５が常に画面中央に表示されることとする。
【００７１】
なお、目標点確認手段５２５は、目標点表示画面に目標点を１個のみ表示しているが、２個以上の目標点を表示してもよい。
また、目標点確認手段５２５は、確認範囲内に目標点が１個も存在しない場合、段階的に確認範囲を拡大してもよい。
【００７２】
さらに、目標点確認手段５２５は、ターゲット３から確認範囲にある全目標点（つまり、図１１の目標点表示画面に表示された目標点）の識別情報をイヤホン５Ｅに音声出力する。すると、作業者αは、このイヤホン５Ｅに出力された音声を聞いて、確認対象の目標点の識別情報をマイク５Ｄに発話する。
【００７３】
続いて、目標点確認手段５２５は、音声認識手段５１から確認対象の目標点の識別情報が入力されるので、入力された確認対象の目標点とターゲット３との誤差をディスプレイ５Ｂに表示する。
【００７４】
図１２のように、目標点確認手段５２５は、確認対象の目標点とターゲット３との誤差を表した誤差表示画面を表示する。
ここで、‘正’が記載された上段の行は、確認対象の目標点の位置座標を表す。
‘測’が記載された中段の行は、ターゲット３の位置座標を表す。
下段の行は、Ｘ軸、Ｙ軸及びＺ軸方向における、確認対象の目標点とターゲット３との位置座標の誤差を表す。図１２の誤差表示画面では、Ｘ軸及びＹ軸方向で誤差がなく、Ｚ軸方向のみ誤差がある。
【００７５】
このように、目標点確認手段５２５が確認対象の目標点の識別情報を音声出力するので、確認対象の目標点の識別情報を設計図面等の書類から都度捜す必要がなくなる。従って、測量情報表示装置５は、測量の作業効率を向上させることができる。
【００７６】
（その他変形例）
前記した実施形態では、建設関連情報表示装置を独立したハードウェアとして説明したが、本願発明は、これに限定されない。例えば、眼鏡型のウェアラブル端末が備えるＣＰＵ、メモリ、ハードディスク等のハードウェア資源を、建設関連情報表示装置として協調動作させる建設関連情報表示プログラムで実現することもできる。このプログラムは、通信回線を介して配布してもよく、ＣＤ−ＲＯＭやフラッシュメモリ等の記録媒体に書き込んで配布してもよい。
【００７７】
前記した実施形態では、建設関連情報表示プログラムは、眼鏡型のウェアラブル端末に測量情報を表示することとして説明したが、本願発明の建築物設計情報は、これに限定されない。例えば、建設関連情報表示プログラムは、眼鏡型のウェアラブル端末に、建築物の構造、材料、強度が含まれる設計情報を表示してもよい。
【００７８】
前記した実施形態では、無線中継装置が、測量装置と測量情報表示装置との中継を行うこととして説明したが、無線中継装置の機能は、これに限定されない。例えば、無線中継装置は、測量情報表示装置と同様、目標点に作業者を誘導する機能、目標点の誤差を確認する機能、印刷データを生成する機能を備えてもよい。
【符号の説明】
【００７９】
１  測量システム
２  測量装置
３  ターゲット（測量目標物）
４  無線中継装置
５  測量情報表示装置（建設関連情報表示装置）
５Ａ  本体部
５Ｂ  ディスプレイ
５Ｃ  眼鏡部
５Ｄ  マイク
５Ｅ  イヤホン
６  プリンタ
５０  無線通信手段（建設関連情報受信手段）
５１  音声認識手段
５２  目標点誘導手段
５３  目標点印刷手段
５２１  目標点表示手段（建設関連情報表示手段）
５２３  目標点決定手段（処理実行手段）
５２５  目標点確認手段
５３１  印刷データ選択手段
５３３  印刷データ生成手段
【図１】
0006715413.tif 000002
【図２】
0006715413.tif 000003
【図３】
0006715413.tif 000004
【図４】
0006715413.tif 000005
【図５】
0006715413.tif 000006
【図６】
0006715413.tif 000007
【図７】
0006715413.tif 000008
【図８】
0006715413.tif 000009
【図９】
0006715413.tif 000010
【図１０】
0006715413.tif 000011
【図１１】
0006715413.tif 000012
【図１２】
0006715413.tif 000013